(57)【要約】【課題】  遊技球の物理的な法則に従った動作を用いて演出する場合に、予測困難性を増大し、かつ当たり又は外れ等の結果が確定するまで、遊技球の動きに興味を持たせる。【解決手段】  １個の当たり設定収容部１０６Ｂと９個の外れ設定収容部１０６Ａとにより、見た目での当たりの確率を１／１０とすると共に、第１の外れ孔１３６に一定周期で開閉される開閉部材１４０を設け、この開閉部材１４０が閉位置の場合に、第１の外れ孔１３６への流入を阻止するようにした（第１の救済）。さらに、上記第１の救済によって救済されたパチンコ球を、キャラクタ１５２によって持ち出し、第２のスロープ１１６Ｂへ移動させて、再度振り分けを実行するチャンスを与えるようにした。遊技者から見て、パチンコ球の動向が最後まで予測できなくなり、センター役物４２内のパチンコ球の演出動作途中で結果がわかる（特に、外れ決定）といった不具合を解消でき、予測困難性が増大することで、遊技の趣向性を高めることができる。【選択図】      図６
2006034694.tif 000002
【特許請求の範囲】
【請求項１】
発射された複数の遊技球がランダムな軌道で落下するのを案内する遊技盤を備えた遊技機に用いられ、前記遊技盤面に取り付けられ、所定の条件が成立した場合に特定の空間部へ遊技球を受け入れ、当該特定の空間部内での遊技球を用いた演出を実行する役物ユニットであって、
前記特定の空間部内に受け入れられた遊技球を所定の確率で選択的に収容可能な複数の収容部が設けられ、それぞれの収容部には予め当たり又は外れが設定されており、前記遊技球が前記収容部に収容されることによって、前記当たり又は外れを仮決定するための振分部材と、
前記振分部材を周期動作させることで、前記複数の収容部のそれぞれを、前記振分部材の周期動作軌跡に沿って設けられた当たり通路及び外れ通路に対応させる振分部材駆動手段と、
前記当たりと定められた当たり設定収容部が前記当たり通路と対応したときに、当該遊技球を当たり通路へ案内すると共に、前記外れと定められた外れ設定収容部が前記外れ通路と対応したときに、当該遊技球を外れ通路へ案内する案内手段と、
前記当たり設定収容部が前記外れ通路と対応したときに、当該遊技球の収容状態を保持すると共に、前記外れ設定収容部に収容された遊技球が前記外れ通路と対応したときに、当該遊技球の収容状態を保持する保持手段と、
外れ設定収容部に収容された遊技球を持ち出して、前記所定の確率よりも高い確率で、再度、振分部材での振り分けを実行させる再振分手段と、
を有する遊技機の役物ユニット。
【請求項２】
前記外れ通路の入り口を所定の周期で開閉動作することで、前記案内手段による前記外れ通路への案内を阻止するタイミングを形成する開閉部材をさらに備え、
前記再振分手段における、遊技球の持ち出し位置が、前記振分部材の周期動作方向における、前記外れ通路よりも下流側に設定され、前記開閉部材の開閉タイミングに基づいて、外れ通路への案内が阻止され収容部に残留する遊技球を持ち出すことを特徴とする請求項１記載の遊技機の役物ユニット。
【請求項３】
発射された複数の遊技球がランダムな軌道で落下するのを案内する遊技盤を備えた遊技機に用いられ、前記遊技盤面に取り付けられ、所定の条件が成立した場合に特定の空間部へ遊技球を受け入れ、当該特定の空間部内での遊技球を用いた演出を実行する役物ユニットであって、
有底の円筒部材の内周に収容され、モータの駆動力で円筒部材の内周面に沿って一定速度で一定方向へ回転すると共に、外周端に沿って、有底かつ周壁無しの当たり設定収容部及び無底かつ周壁有りの外れ設定収容部が形成された振分部材と、
前記円筒部材の内周面に設けられ、前記振分部材の回転により前記周壁無しの当たり設定収容部と対向することで、当該当たり設定収容に収容されている遊技球の受け入れを可能とすると共に、前記周壁有りの外れ設定収容部に収容されている遊技球の受け入れを不可とする当たり通路部と、
前記円筒部材の底面に設けられ、前記振分部材の回転により前記無底の外れ設定収容部と対向することで、当該外れ設定収容部に収容されている遊技球の受け入れを可能とする共に、前記有底の当たり設定収容部に収容されている遊技球の受け入れを不可とする外れ通部と、
前記円筒部材外周回りに形成され、前記特定の空間部内に受け入れた遊技球の転動始点とされ、当該点灯始点から円筒部材の右回り及び左回りにそれぞれ半周ずつ転動させる一対のスロープと、
一方のスロープにおける遊技球の転動到達点に設けられ、前記振分部材の全ての切欠部へ送り出し可能な通常ステージと、
他方のスロープにおける遊技球の転動到達点に設けられ、前記振分部材の当たり設定収容部への送り出し確率が前記通常ステージよりも高く設定された特別ステージと、
前記外れ設定収容部に収容された遊技球を所定の持出位置から持ち出し、前記他方のスロープ上又は特別ステージ上の何れかの移動先位置へ移動させ、再振り分けを実行させる再振分手段と、
を有する遊技機の役物ユニット。
【請求項４】
前記外れ通路の入り口を所定の周期で開閉動作することで、前記案内手段による前記外れ通路への案内を阻止するタイミングを形成する開閉部材をさらに備え、
前記再振分手段における、遊技球の持出位置が、前記開閉部材よりも前記振分部材の回転方向の下流側に設定され、前記開閉部材の開閉タイミングに基づいて、外れ通路への案内が阻止され収容部に残留する遊技球を持ち出すことを特徴とする請求項３記載の遊技機の役物ユニット。
【請求項５】
前記特別ステージの遊技球支持面の高さと、前記外れ設定収容部に設けられた周壁の高さとの差に基づいて、当該特別ステージから送り出される遊技球の当たり設定収容部への収容確率が設定されることを特徴とする請求項３又は請求項４記載の遊技機の役物ユニット。
【請求項６】
前記再振分手段が、
前記持出位置と移動先位置との間を往復移動する移動体と、
前記移動体に取り付けられ、前記持出位置に移動したときに励磁して磁性体である遊技球を磁着し、移動先位置に移動したときに励磁解除する電磁石と、
で構成されていることを特徴とする請求項３乃至請求項５の何れか１項記載の遊技機の役物ユニット。
【発明の詳細な説明】
【技術分野】
【０００１】
本発明は、発射装置によって打ち出された複数の遊技球がランダムな軌道で落下するのを案内する遊技盤を備えた遊技機に用いられ、前記遊技盤面に取り付けられ、所定の条件が成立した場合に特定の空間部へ遊技球を受け入れ、当該特定の空間部内での遊技球を用いた演出を実行する役物ユニットに関するものである。
【背景技術】
【０００２】
遊技機、特にパチンコ機は、遊技仕様により複数種類に分類することができる。この遊技仕様は、従来、第１種、第２種、第３種、一般機種などと称され、それぞれ独立した単独の遊技仕様によって遊技が進行する構成となっている。なお、将来的には、単独の遊技仕様にこだわらない、複合的な遊技仕様の遊技機も提案されている。
【０００３】
第１種パチンコ機では、通常遊技状態で、始動口（特別図柄始動入賞口）に入賞したパチンコ球を検出することで抽選がなされ、この抽選の結果、当たりとなると、前記通常遊技状態では閉止状態とされている大入賞口が所定期間、所定回数開放され（１回の開閉を１ラウンドとし、一般に１０〜１６ラウンド継続する。）、遊技球の入賞率を高める、遊技者に有利な状態とする特別遊技状態（以下、大当り処理という）とすることができる。
【０００４】
また、第２種パチンコ機では、遊技盤面中央に開閉可能な羽根部材を備えた役物装置を具備し、所定の始動口に入賞することで、１回から２回の羽根部材の開閉を行い、その間に役物装置内にパチンコ球が入賞し、かつＶゾーンへ入賞することで、羽根部材を開閉を実行し（最大１０個の入賞で１ラウンド終了）、Ｖゾーンに入賞することで、当該所定回数（一般に１５ラウンド程度）繰り返すことができる。
【０００５】
さらに、第３種パチンコ機では、図柄の抽選結果や入賞球の抽選結果で特別な状態となり、特別な状態中に特定の入賞口に入賞すると、予め定められた期間、電動役物を作動させ、入賞確率を高めることができる。
【０００６】
また、上記一般機種は一般電役機種、等とも呼ばれ、所謂メカ式チューリップ、電動方チューリップ、アタッカ等を初めとする複数の入賞具が遊技盤面に設けられ、遊技盤面に打ち出されたパチンコ球が特定な領域を通過／入賞することに基づき、そのタイミングに応じて上記入賞具が相関的に連動して入賞し易い／し難い状態を順次変化させながら良好な遊技性を形成するものである。
【０００７】
上記各種のパチンコ機の共通点としては、遊技盤上に打ち出されたパチンコ球を何らかの形で振り分けることで、当たり／外れ等を定め、その後の遊技状態に変化をもたらすようにしている。
【０００８】
その中で、パチンコ球自体を用いて、機械的に振り分ける振分装置を備えた役物ユニットを遊技盤に設置する構造のパチンコ機が存在する。例えば、役物ユニットの内部に当たり孔と外れ孔を設けておき、別途設けた図柄変動表示装置により、当たり図柄が揃った場合に、前記役物ユニット内へ入賞したパチンコ球が当たり孔へ誘導されて当たりとなり、例えば、通常閉塞状態である入賞口を開放して、短時間で多くの入賞が可能となる遊技者に有利な遊技状態へ移行させることが提案されている（特許文献１参照）。
【特許文献１】特許第３３００２７５号公報
【発明の開示】
【発明が解決しようとする課題】
【０００９】
しかしながら、上記特許文献１のような従来技術では、役物ユニット内へ入賞したパチンコ球が当たり孔へ誘導されるためには、図柄変動表示装置によって、当たり図柄が揃った場合に限られるため、図柄変動が停止した時点で、役物ユニット内の当たり孔への誘導、外れ孔への誘導の何れかが判明してしまう。
【００１０】
また、役物ユニット内のみで、当たり又は外れを決めるような遊技性を持つパチンコ機の場合、従来の役物ユニットでは、当該役物ユニット内でのパチンコ球の動きの途中で、当たり孔へ導かれるのか、外れ孔へ導かれるのかが、予測可能となることが多く、物理的な法則に従い、かつ動作予測困難な役物ユニット内のパチンコ球の動き（演出）を楽しむという遊技機本来の趣向性が低下することになる。
【００１１】
本発明は上記事実を考慮し、遊技球の物理的な法則に従った動作を用いて演出する場合に、予測困難性を増大し、かつ当たり又は外れ等の結果が確定するまで、遊技球の動きに興味を持たせることができる遊技機の役物ユニットを得ることが目的である。
【課題を解決するための手段】
【００１２】
請求項１に記載の発明は、発射された複数の遊技球がランダムな軌道で落下するのを案内する遊技盤を備えた遊技機に用いられ、前記遊技盤面に取り付けられ、所定の条件が成立した場合に特定の空間部へ遊技球を受け入れ、当該特定の空間部内での遊技球を用いた演出を実行する役物ユニットであって、前記特定の空間部内に受け入れられた遊技球を所定の確率で選択的に収容可能な複数の収容部が設けられ、それぞれの収容部には予め当たり又は外れが設定されており、前記遊技球が前記収容部に収容されることによって、前記当たり又は外れを仮決定するための振分部材と、前記振分部材を周期動作させることで、前記複数の収容部のそれぞれを、前記振分部材の周期動作軌跡に沿って設けられた当たり通路及び外れ通路に対応させる振分部材駆動手段と、前記当たりと定められた当たり設定収容部が前記当たり通路と対応したときに、当該遊技球を当たり通路へ案内すると共に、前記外れと定められた外れ設定収容部が前記外れ通路と対応したときに、当該遊技球を外れ通路へ案内する案内手段と、前記当たり設定収容部が前記外れ通路と対応したときに、当該遊技球の収容状態を保持すると共に、前記外れ設定収容部に収容された遊技球が前記外れ通路と対応したときに、当該遊技球の収容状態を保持する保持手段と、外れ設定収容部に収容された遊技球を持ち出して、前記所定の確率よりも高い確率で、再度、振分部材での振り分けを実行させる再振分手段と、を有している。
【００１３】
請求項１記載の発明によれば、遊技盤上に発射された遊技球は、所定の条件が成立すると、役物ユニット内の特定の空間部に入賞する（特定の空間部への受け入れ）。
【００１４】
入賞した遊技球は、所定の確率で振分部材に設けられた当たりが設定された収容部、或いは外れが設定された収容部に収容される。
【００１５】
振分部材は、振分部材駆動手段の駆動力で周期動作を行っており、複数の収容部材は、当たり通路及び外れ通路に順次対応する。
【００１６】
このとき、当たりと定められた収容部が当たり通路に対応すると、遊技球は当たり通路に案内されるが（案内手段）、外れと定められた収容部が当たり通路に対応しても、遊技球は当たり通路には案内されない（保持手段）。
【００１７】
また、逆に外れと定められた収容部が外れ通路に対応するすると、遊技球は外れ通路に案内されるが（案内手段）、当たりと定められた収容部が外れ通路に対応しても、遊技球は外れ通路には案内されない（保持手段）。
【００１８】
すなわち、案内手段と保持手段の機能により、当たりと定められた収容部に収容された遊技球は確実に当たり通路へ案内され、外れと定められた収容部に収容された遊技球は確実に外れ通路へ案内される。
【００１９】
ところで、上記では、外れと定められた収容部に収容された時点で、その遊技球は、外れが確定してしまう。そこで、請求項１の発明では、再振分手段により、外れと定められた収容部に収容された遊技球を振分部材外へ持ち出して、前記所定の確率よりも高い確率で、再度振分部材での振り分けを実行させる。これにより、当たり通路或いは外れ通路へ到達するまで、当たり又は外れが予測できなくなり、遊技の趣向性を向上することができる。
【００２０】
請求項２に記載の発明は、前記請求項１に記載の発明において、前記外れ通路の入り口を所定の周期で開閉動作することで、前記案内手段による前記外れ通路への案内を阻止するタイミングを形成する開閉部材をさらに備え、前記再振分手段における、遊技球の持ち出し位置が、前記振分部材の周期動作方向における、前記外れ通路よりも下流側に設定され、前記開閉部材動作手段による開閉部材の開閉タイミングに基づいて、外れ通路への案内が阻止され収容部に残留する遊技球を持ち出すことを特徴としている。
【００２１】
請求項２に記載の発明によれば、外れ通路には、開閉部材が設けられており、遊技球の外れ通路への案内を阻止するタイミングが形成される。
【００２２】
このタイミングに、遊技球が収容された外れ設定の収容部が外れ通路に対応すると、本来は外れ通路に案内されるところ、これが阻止され外れ設定の収容部に残留する。
【００２３】
この残留した遊技球を対象として、前記再振分手段を用いて、再振り分けを実行することで、予測の困難性をさらに増大させることができる。
【００２４】
請求項３に記載の発明は、発射された複数の遊技球がランダムな軌道で落下するのを案内する遊技盤を備えた遊技機に用いられ、前記遊技盤面に取り付けられ、所定の条件が成立した場合に特定の空間部へ遊技球を受け入れ、当該特定の空間部内での遊技球を用いた演出を実行する役物ユニットであって、有底の円筒部材の内周に収容され、モータの駆動力で円筒部材の内周面に沿って一定速度で一定方向へ回転すると共に、外周端に沿って、有底かつ周壁無しの当たり設定収容部及び無底かつ周壁有りの外れ設定収容部が形成された振分部材と、前記円筒部材の内周面に設けられ、前記振分部材の回転により前記周壁無しの当たり設定収容部と対向することで、当該当たり設定収容に収容されている遊技球の受け入れを可能とすると共に、前記周壁有りの外れ設定収容部に収容されている遊技球の受け入れを不可とする当たり通路部と、前記円筒部材の底面に設けられ、前記振分部材の回転により前記無底の外れ設定収容部と対向することで、当該外れ設定収容部に収容されている遊技球の受け入れを可能とする共に、前記有底の当たり設定収容部に収容されている遊技球の受け入れを不可とする外れ通部と、前記円筒部材外周回りに形成され、前記特定の空間部内に受け入れた遊技球の転動始点とされ、当該点灯始点から円筒部材の右回り及び左回りにそれぞれ半周ずつ転動させる一対のスロープと、一方のスロープにおける遊技球の転動到達点に設けられ、前記振分部材の全ての切欠部へ送り出し可能な通常ステージと、他方のスロープにおける遊技球の転動到達点に設けられ、前記振分部材の当たり設定収容部への送り出し確率が前記通常ステージよりも高く設定された特別ステージと、前記外れ設定収容部に収容された遊技球を所定の持出位置から持ち出し、前記他方のスロープ上又は特別ステージ上の何れかの移動先位置へ移動させ、再振り分けを実行させる再振分手段と、を有している。
【００２５】
請求項３に記載の発明によれば、遊技盤上に発射された遊技球は、所定の条件が成立すると、役物ユニット内の特定の空間部に入賞する（特定の空間部への受け入れ）。
【００２６】
入賞した遊技球は、円筒部材の一方のスロープを転動始点として円筒部材の外周に沿って転動し、最低位の転動到達点へと至る。この転動到達点には、通常ステージが設けられ、モータの駆動力で一定速度で一定回転している振分部材へと送り出され、結果として、所定の確率で振分部材に設けられた当たり設定収容部、或いは外れ設定収容部に収容される。
【００２７】
ここで、当たり設定収容部は有底であるため、円筒部材の底面に設けられた外れ通路へ案内されることはなく、周壁がないため、円筒部材の内周面に設けられた当たり通路へ案内される。
【００２８】
一方、外れ設定収容部は、周壁があるため、円筒部材の内周面に設けられた当たり通路へ案内されることはなく、無底であるため、振分部材の回転で、円筒部材の底面に設けられた外れ通路へ案内される。
【００２９】
すなわち、当たり設定収容部の構造、外れ設定収容部の構造の違いにより、当たり設定収容部に収容された遊技球は確実に当たり通路へ案内され、外れ設定収容部に収容された遊技球は確実に外れ通路へ案内される。
【００３０】
ところで、上記では、外れ設定収容部に収容された時点で、その遊技球は、外れが確定してしまう。そこで、請求項３の発明では、再振分手段により、外れ設定収容部に収容された遊技球を持ち出し、他方のスロープ又は特別ステージへ移動させる。言い換えれば、当たり設定収容部へ収容される確率が前記所定の確率よりも高い確率で再度振分部材での振り分けを実行させる。これにより、当たり通路或いは外れ通路へ到達するまで、当たり又は外れが予測できなくなり、遊技の趣向性を向上することができる。
【００３１】
請求項４に記載の発明は、前記請求項３に記載の発明において、前記外れ通路の入り口を所定の周期で開閉動作することで、前記案内手段による前記外れ通路への案内を阻止するタイミングを形成する開閉部材をさらに備え、前記再振分手段における、遊技球の持出位置が、前記開閉部材よりも前記振分部材の回転方向の下流側に設定され、前記開閉部材動作手段による開閉部材の開閉タイミングに基づいて、外れ通路への案内が阻止され収容部に残留する遊技球を持ち出すことを特徴としている。
【００３２】
請求項４に記載の発明によれば、外れ通路には、一定周期で開閉する開閉部材が設けられており、遊技球の外れ通路への案内を阻止するタイミングが形成される。
【００３３】
このタイミングに、遊技球が収容された外れ設定収容部が外れ通路に対応すると、本来は外れ通路に案内されるところ、これが阻止され外れ設定の収容部に残留する。
【００３４】
この残留した遊技球を対象として、前記再振分手段を用いて、再振り分けを実行することで、予測の困難性をさらに増大させることができる。
【００３５】
また、開閉部材よりも振分部材の下流側とすることで、誤って当たり設定収容部に収容した遊技球を持ち出すことがない。
【００３６】
請求項５に記載の発明は、前記請求項３又は請求項４に記載の発明において、前記特別ステージの遊技球支持面の高さと、前記外れ設定収容部に設けられた周壁の高さとの差に基づいて、当該特別ステージから送り出される遊技球の当たり設定収容部への収容確率が設定されることを特徴としている。
【００３７】
請求項５に記載の発明によれば、前記一方のスロープから通常ステージを経て振分部材へ送り出されるときの当たり設定収容部へ収容される確率（所定の確率）は、通常ステージからは全ての収容部に対して、収容可能な状態であるため、当たり設定収容部の数／全収容部の数の確率となる。例えば、１個の当たり設定収容部と９個の外れ設定収容部が存在した場合には、当たり設定収容部へ収容される確率は、１／１０となり振分部材の構造に依存する。
【００３８】
ここで、他方のスロープから特別ステージを経て振分部材へ送り出されるときの当たり設定収容部へ収容される確率は、特別ステージの遊技球支持面の高さと、外れ設定収容部に設けられた周壁の高さとの差に基づいて、設定される。例えば、特別ステージの遊技球支持面の高さが、外れ設定収容部に設けられた全ての周壁の高さよりも低い場合、遊技球は、この周壁を乗り越えることができず、外れ設定収容部に収容される確率は０となる。すなわち、周壁のない当たり設定収容部のみに収容可能となり、当たり設定収容部へ収容される確率は、１００％となる。
【００３９】
このように、通常ステージと特別ステージとの間で当たり設定収容部への収容確率に差を設け、外れ設定収容部から持ち出した遊技球を他方のスロープ又は特別ステージへ移動させることで、再振り分け時の期待感を増大させることができる。
【００４０】
請求項６に記載の発明は、前記請求項３乃至請求項５の何れか１項記載の発明において、前記再振分手段が、前記持出位置と移動先位置との間を往復移動する移動体と、前記移動体に取り付けられ、前記持出位置に移動したときに励磁して磁性体である遊技球を磁着し、移動先位置に移動したときに励磁解除する電磁石と、で構成されていることを特徴としている。
【００４１】
請求項６に記載の発明によれば、例えば、移動体を持出位置と移動先位置との間で一定の周期で移動させると共に、電磁石に対しては持出位置で励磁して、移動先位置で励磁を解除する。
【００４２】
この動作と、遊技球（磁性体）が収容されている外れ設定収容部が持出位置に到達したときとのタイミングが合うと、遊技球は磁力によって外れ設定収容部から持ち出され、移動先位置へ移動させることができる。
【００４３】
移動体の動作タイミングは、振分部材の回転速度等との間で何らかの関連付けをしてもよいが、予測困難性を高めるためには全く非同期の方が好ましい。
【発明の効果】
【００４４】
以上説明した如く本発明では、遊技球の物理的な法則に従った動作を用いて演出する場合に、予測困難性を増大し、かつ当たり又は外れ等の結果が確定するまで、遊技球の動きに興味を持たせることができるという優れた効果を有する。
【発明を実施するための最良の形態】
【００４５】
図１には、本実施の形態に係るパチンコ機１０が示されている。
【００４６】
パチンコ機１０の外形を構成する内枠１４には、ガラス枠２０が嵌め込まれており、複数の表示灯６２やスピーカ６４が設けられている。また、ガラス枠２０の中央は、窓部となっており、この窓部には紙面奥行き方向に所定の間隔で互いに平行とされた一対のガラス１６（二重構造）が装着されている。また、内枠１４の図１の右辺部には施錠装置（シリンダ）２２が設けられている。
【００４７】
ガラス枠２０の下方位置には、表面側に球皿部２４を備え、かつ裏面側に図示しない発射装置を備えた発射装置ユニット２６が配設されている。この発射装置ユニット２６の球皿部２４には、貯球タンク（図示省略）と連通し、この貯球タンク内のパチンコ球を球皿部２４へ流出させる連通口２３が設けられている。
【００４８】
発射装置ユニット２６は、その一側部（図１の左辺部）が内枠１４に対して開閉可能に取付けられ、その前面には、左側下部に灰皿２８が配置され、右側下部には発射装置（図示省略）から発射する打球の飛距離を調整するための発射ハンドル３０が設けられている。
【００４９】
また内枠１４の窓部には、遊技盤載置台に載せて交換可能とされた遊技盤３２が窓部に対応して設置されている。
【００５０】
図２に示される如く、遊技盤３２は、外バンド３６及び内バンド３８によって囲まれた略円形状の遊技領域が形成されている。
【００５１】
遊技領域には、図示しない釘や風車の他、センター役物４２、センター役物４２の内部（特定の空間部）へパチンコ球を入賞する契機を形成する始動入賞口４６、４７、普通図柄始動通過装置４８、演出用表示装置５０、当該演出用表示装置５０の一部（左下部）に設けられた普通図柄変動表示装置５２、大入賞口５３等の遊技部品が取り付けられており、最下位置にアウト口５４が配置されている。
【００５２】
始動入賞口４６、４７は、センター役物４２に左右対称に一対設けられた羽根部材４２Ａを開放状態（図２の実線状態）とするためのトリガとなる入賞口であり、図２に「１」と表示されている左右の始動入賞口４６にパチンコ球が入賞すると、羽根部材４２Ａが１回、開放する（開放時間は、約０．５秒）。一方、図２に「２」と表示されている中央の始動入賞口４７にパチンコ球が入賞すると、羽根部材４２Ａが２回開放する（開放時間は、１回約１秒）。
【００５３】
また、始動入賞口４７には、電動役物としての電動チューリップ４７Ａが設けられており、通常は閉じ状態となっている。なお、始動入賞口４７は、電動チューリップ４７Ａが閉じているときでも（図２の状態）、上部はパチンコ球が通過できる幅分だけ開放されており、電動チューリップ４７Ａが開放したときには、それよりも広いエリアのパチンコ球を入賞させることができる構造となっている。
【００５４】
電動チューリップ４７Ａの開放は、普通図柄通過装置４８をパチンコ球が通過したときに実行される抽選の結果に基づく。すなわち、普通図柄通過装置４８をパチンコ球が通過すると、所定の確率の下での抽選（例えば、乱数カウンタから乱数を取得）が実行され、この抽選の結果（取得乱数と当たり値との比較照合）を普通図柄変動表示装置５２に表示される図柄変動によって報知し、停止した図柄が当たりの場合に、所定時間電動チューリップ４７Ａを開放する構成となっている。
【００５５】
また、前記大入賞口５３は、センター役物４２内で実行されるパチンコ球を用いた振り分け動作演出の結果に基づいて、開放するか否かが決められており、通常は閉じ状態となっている。すなわち、センター役物４２内では、羽根部材４２Ａの開放時に入賞したパチンコ球の振り分け動作演出が実行され、後述する当たり通路１３０（図３参照）へパチンコ球が案内されることを契機に大入賞口５３を所定時間、所定回数開放するものである。
【００５６】
以下、大入賞口５３を開放するか否かを決定するためのパチンコ球の振り分け動作を実行するセンター役物４２に設けられた振分装置４３の詳細の構造を図３に示す。
【００５７】
図３に示される如く、センター役物４２は、中央に円筒部材１００を備えた役物本体１０２と、この役物本体１０２を支持するための支持ベース１０４と、前記円筒部材１００に収容される円盤状の振分部材１０６と、で構成されている。
【００５８】
これら円筒部材１００、役物本体１０２、支持ベース１０４、並びに振分部材１０６は、センター役物４２に形成された空間部４２Ｂに配置され、図２に示される如く、空間部４２Ｂの上部には傾斜板４２Ｃが設けられている。傾斜板４２Ｃは、空間部４２Ｂを上下に分離しており、図２の奥側が手前側よりも低くなるように傾斜させている。
【００５９】
パチンコ球が羽根部材４２Ａによって空間部４２Ｂに入賞すると、まず傾斜板４２Ｃよりも上側に誘導され、直接、空間部４２Ｂの下側に誘導されることはなく、上述した傾斜によってパチンコ球は、傾斜板４２Ｃ上を図２の手前側から奥側に向かって転動し、図示を省略したガイドを通って後述するスロープ１１６の最高位点Ｈ（図３および図４参照）に誘導される。
【００６０】
そして、役物本体１０２の円筒部材１００の上端面は、所謂袈裟懸け状に切断されており、その最低位部は、幅寸法がパチンコ球が２個分（直径×２）の切欠部１０８が形成されている。
【００６１】
円筒部材１００は、底板部１１０が設けられており、その中心部には、貫通孔１１２が設けられ、後述するモータ１１４の回転軸１１４Ａが突出するようになっている。
【００６２】
役物本体１０２の円筒部材１００の周囲には、前記袈裟懸け状とされた円筒部材１００の上端面に平行なスロープ１１６が形成されている。
【００６３】
このスロープ１１６の最高位点Ｈは、前述の如く、前記羽根部材４２Ａ（図２参照）が開放したときにパチンコ球が送り込まれる転動開始点とされ、この転動開始点から右回り又は左回りにスロープ１１６に沿って約１８０°転動するようになっている。
【００６４】
また、役物本体１０２には、円筒状の４本の脚部１１８（図３では２本のみ図示）が、支持ベース１０４方向に突出するように設けられている。この脚部１１８の突出先端は、支持ベース１０４に突き当てられており、これにより、役物本体１０２は、支持ベース１０４に対して、脚部１１８を介して支持されている。なお、４本の脚部１１８は、それぞれ、図示しないビスが支持ベース１０４の裏面（下面）側から螺合され、当該支持ベース１０４に固定されている。
【００６５】
支持ベース１０４は、略矩形状で、一辺の周端から中央に向けて、略Ｕ字型の切欠部１０４Ａが形成されている。
【００６６】
切欠部１０４Ａは、支持ベース１０４の下面に取り付けられたモータ１１４の回転軸１１４Ａが収容されている。
【００６７】
モータ１１４の回転軸１１４Ａは、前記役物本体１０２の底部１１０に形成された貫通孔１１２を貫通し、先端部は、円筒部材１００の内方空間部に位置している。
【００６８】
この回転軸１１４Ａには、前記振分部材１０６が嵌合されており、モータ１１４の駆動力で、振分部材１０６は、円筒部材１００の中で回転する構成である。なお、本実施の形態では、振分部材１０６は、一定速度で、一定方向（図３の左回り（反時計回り方向））に回転するように制御されている。
【００６９】
振分部材１０６には、その外周端に沿って、複数（本実施の形態では、１０個）の切欠部が形成され、パチンコ球の収容部１０６Ａ、１０６Ｂとされている。
【００７０】
収容部１０６Ａ、１０６Ｂは、平面視で略Ｕ字形状となっており、構造的に異なる２種類で構成されている。一方は、底が無く、かつ周壁１２０が存在する構造であり、以下、外れ設定収容部１０６Ａとする。また、他方は、底部１２２が有り、かつ周壁が存在しない構造であり、以下、当たり設定収容部１０６Ｂとする。
【００７１】
外れ設定収容部１０６Ａと当たり設定収容部１０６Ｂの数の比率は、９：１（９個の外れ設定収容部１０６Ａと１個の当たり設定収容部１０６Ｂ）とされている。
【００７２】
この外れ設定収容部１０６Ａと当たり設定収容部１０６Ｂが形成された振分部材１０６が、一定速度で一定方向に回転すると、前記円筒部材１００に形成された切欠部１０８に順次対応することになり、パチンコ球がこの切欠部１０８から円筒部材１００の内側へ至るタイミングで、外れ設定収容部１０６Ａ又は当たり設定収容部１０６Ｂの何れかに収容されることになる。
【００７３】
この収容されるパチンコ球は、前記スロープ１１６を転動してくるパチンコ球が対象となっている。
【００７４】
ここで、本実施の形態では、スロープ１１６を２種類に分類している。すなわち、図３及び図４の左回り（反時計方向回り）を通常ルートとして設定しており、以下、この左回りのスロープ１１６を第１のスロープ１１６Ａとする。また、図３及び図４の右回り（時計方向回り）を特別ルートとして設定しており、以下、この右回りのスロープ１１６を第２のスロープ１１６Ｂとする。
【００７５】
本実施の形態では、前記転動開始点に送り込まれたパチンコ球は、全て（１００％）、第１のスロープ１１６Ａへ案内されるようになっている。
【００７６】
この第１のスロープ１１６Ａで１８０°分だけ転動した位置には、通常ステージ１２４が設けられている。なお、この通常ステージ１２４には、縦壁部１２６を介して前記第２のスロープ１１６Ｂで１８０°分転動した位置とされる特別ステージ１２８が隣接して設けられている。
【００７７】
通常ステージ１２４及び特別ステージ１２８は、前記円筒部材１００の切欠部１０８に対応しており、通常ステージ１２４又は特別ステージ１２８に到達したパチンコ球は、振分部材１０６へ送り出されることになる。
【００７８】
ここで、通常ステージ１２４は、その高さ位置が、前記振分部材１０６の外れ設定収容部１０６Ａに設けられた周壁１２０の上端の高さ位置よりも高くなっており、振分部材１０６に形成された全ての収容部（外れ設定収容部１０６Ａ及び当たり設定収容部１０６Ｂ）に収容可能であり、１／１０の確率で当たり設定収容部１０６Ｂに収容することになる。
【００７９】
一方、特別ステージ１２８は、その高さ位置が、前記振分部材１０６の外れ設定収容部１０６Ａに設けられた周壁１２０の上端の高さ位置よりも低くなっており、振分部材１０６に形成された外れ設定収容部１０６Ａには、周壁１２０が防壁となって、パチンコ球の収容が阻止されるようになっている。なお、当たり設定収容部１０６Ｂには、前述の如く、周壁が存在しないため、パチンコ球が収容可能である。
【００８０】
従って、パチンコ球がいかなるタイミングで特別ステージ１２８に到達しようと、必ず（１００％の確率で）当たり設定収容部１０６Ｂに収容されることになる。
【００８１】
円筒部材１００の内周面における、前記切欠部１０８が形成された位置に対して、振分部材１０６の回転方向（反時計回り）下流側には、当たり通路１３０に通じる開口部（以下、当たり孔１３２という）が形成されている。この当たり孔１３２は、振分部材１０６の周面が対向するようになっている。ここで、振分部材１０６が回転して、前記当たり設定収容部１０６Ｂが前記当たり孔１３２に対向すると、当該当たり設定収容部１０６Ｂに収容されたパチンコ球は、当たり通路１３０へと案内されることになる。
【００８２】
一方、前記外れ設定収容部１０６Ａには、周壁１２０が設けられており、この当たり孔１３２に対向したとしても、収容しているパチンコ球は当たり通路１３０へは案内されない。
【００８３】
また、円筒部材１００の底部１１０には、前記当たり通路１３０に通じる当たり孔１３２の、さらに振分部材１０６の回転方向下流側位置に、外れ通路１３４に通じる開口部（以下、第１の外れ孔１３６という）が設けられている。ここで、振分部材１０６が回転して、前記外れ設定収容部１０６Ａが前記第１の外れ孔１３６に対向すると、当該外れ設定収容部１０６Ａに収容されたパチンコ球は、底部が無いため、外れ通路１３４へと案内されることになる。
【００８４】
一方、前記当たり設定収容部１０６Ｂには、底部１２４が設けられており、この第１の外れ孔１３６に対向したとしても、収容しているパチンコ球は外れ通路１３４へは案内されない。
【００８５】
なお、第１の外れ孔１３６のさらに振分部材１０６の回転方向下流側には、略矩形状の第２の外れ孔１３８が設けられており、第１の外れ孔１３６と同様の機能を持つ。
【００８６】
前記第１の外れ孔１３６の近傍には、開閉部材１４０が配設されている。開閉部材１４０は、薄板形状で、その基部が円筒部材１００の内周面に設けられた貫通孔１００Ａに収容されている。開閉部材１４０の基部、すなわち、円筒部材１００の外側は、図示しないソレノイドのプランジャに連結されている。このソレノイドの励磁／非励磁によって、開閉部材１４０は、貫通孔１００Ａから突出して前記第１の外れ孔１３６を閉塞する閉位置と、貫通孔１００Ａに引き込んで第１の外れ孔１３６を開放する開位置と、に移動可能となっている。
【００８７】
この閉位置及び開位置との移動は、一定の周期で実行されており、本実施の形態では、２秒間の閉位置、３秒間の開位置の移動を繰り返している。このため、開閉部材１４０が閉位置となっているときに、パチンコ球が収容されている外れ設定収容部１０６Ａが通過した場合、パチンコ球はこの第１の外れ孔１３６から外れ通路１３４へと案内されることが免れるようになっている。
【００８８】
ここで、図４に示される如く、外れ設定収容部１０６Ａに収容され第１の外れ孔１３６から第２の外れ孔１３８へのパチンコ球の移動軌跡上には、外れ設定収容部１０６Ａに収容されたパチンコ球を持ち出し、再度振り分けを実行させる、再振分装置１５０（図５参照、図４では想像線で再振り分け実行時のパチンコ球の移動状態のみを図示）の持ち出し点Ｐが設定されている。
【００８９】
図５及び図６に示される如く、再振分装置１５０は、円筒部材１００の内周面から中心に向かって突出する支持体１００Ｂ上に設けられた人間の形をしたキャラクタ１５２を備えている。
【００９０】
キャラクタ１５２は、一方の足１５４Ｒ（以下、右足１５４Ｒという）が立直状態で前記支持体１００Ｂに軸支され、図示しない駆動手段の駆動力で所定角度の範囲（図４の角度θ参照）で往復回転するようになっている。
【００９１】
また、他方の足１５４Ｌ（以下、左足１５４Ｌという）は、胴体１５６に対して股関節機構（図示省略）を介して連結されている。
【００９２】
この左足１５４Ｌは、前記右足１５４Ｒの回転範囲の一端において、前記股関節機構によって上下方向に回動し、最も下降した位置で足先が何れかの収容部１０６Ａ又は１０６Ｂに対向するようになっている。
【００９３】
また、この左足１５４Ｌの足先には、電磁石１５８が取り付けられており、収容部１０６Ａ又は１０６Ｂに対向したときに励磁され、対向している収容部１０６Ａ又は１０６Ｂにパチンコ球が存在した場合には、このパチンコ球を磁着することが可能となっている（図５の状態、並びに図６の想像線で示す状態の持ち出し）。
【００９４】
また、キャラクタ１５２は、電磁石１５８に励磁した状態で右足１５４Ｌを中心に回転範囲の他端へと回転し、かつ当該右足１５４Ｌの膝部に設けた膝関節機構（図示省略）によってを伸ばした状態で当該励磁が解除されるようになっている（図６の実線で示す状態の放出）。この回転範囲の他端への回転、並びに左足１５４Ｌの延び状態では、左足１５４Ｌの下方は、第２のスロープ１１６Ｂと対向するようになっており、電磁石１５８の励磁解除によって、パチンコ球を第２のスロープ１１６Ｂへ落とす（載置）ことが可能となっている（移動）。
【００９５】
すなわち、キャラクタ１５２は、回転範囲の一端で左足１５４Ｌの膝を曲げ、かつ上げた状態を基点とすると、左足１５４Ｌの下降→電磁石の励磁→左足１５４Ｌの上昇→回転範囲の他端への回転→左足１５４Ｌの延び→電磁石の励磁解除→回転範囲の一端への回転→左足１５４Ｌの曲げ、を１周期として、常に繰り返すようになっている。
【００９６】
この結果、外れ設定収容部１０６Ａにパチンコ球が収容した状態で、タイミング良く、前記開閉部材１４０（図３参照）が第１の外れ孔１３６を閉塞しているときにこの第１の外れ孔１３６を通過し、さらにタイミング良く、キャラクタ１５２の左足１５４Ｌが下降すると、電磁石１５８の磁力によって外れ設定収容部１０６Ａからパチンコ球を持ち出し、第２のステージ１１６Ｂへ移動させることができることになる。
【００９７】
逆に、タイミングが合わないと、外れ設定収容部１０６Ａに収容されたパチンコ球は、第１の外れ孔１３６から外れ通路１３４へ案内される（開閉部材１４０の開状態）、或いは、第２の外れ孔１３８から外れ通路１３４へ案内される（キャラクタ１５２の非動作状態）ことになる。
【００９８】
一方、当たり設定収容部１０６Ｂに収容されたパチンコ球は、第１の外れ孔１３６へ到達する前に、当たり孔１３２から当たり通路１３０へ案内されるため、誤って当たり設定収容部１０６Ｂからパチンコ球を持ち出すことはない。
【００９９】
以下に本実施の形態の作用を説明する。
【０１００】
パチンコ球が遊技盤３２に向けて発射されると、パチンコ球は釘や風車等に当接し、予期せぬ方向に跳ね返りながら落下していく。
【０１０１】
この落下途中において、普通図柄通過装置４８を通過すると、内部的に普通図柄抽選が実行される。すなわち、普通図柄通過装置４８の通過を検出した時点で、乱数カウンタから乱数値を取得し（抽選）、当該取得した乱数値を当たり値と比較照合する（判定）。
【０１０２】
この抽選判定の結果は、普通図柄変動表示装置５２に表示される図柄変動によって報知される。
【０１０３】
この普通図柄変動表示装置５２での表示において、停止した図柄が当たりの場合には、始動入賞口４７に設けられた電動チューリップ４７Ａを所定時間開放する。この始動入賞口４７は、電動チューリップ４７Ａが閉止状態であっても、パチンコ球が入賞可能な開口は存在し、比較的に低確率で入賞可能ではあるが、電動チューリップ４７Ａが開放すると、広いエリアから落下してくるパチンコ球を入賞対象とすることができ、比較的に高確率での入賞が可能となる。
【０１０４】
この始動入賞口４７、或いはもう一方の始動入賞口４６の何れかにパチンコ球が入賞すると、センター役物４２の羽根部材４２Ａが開放する。
【０１０５】
すなわち、始動入賞口４６に入賞した場合には、羽根部材４２Ａが１回だけ開閉動作を実行する。このときの開放時間は、約０．５秒である。また、始動入賞口４７に入賞した場合には、羽根部材４２Ａが２回開閉動作を実行する。このときの各開放時間は、約１秒である。
【０１０６】
この羽根部材４２Ａの開放中に、タイミングよくパチンコ球が羽根部材４２Ａに乗り上げると、パチンコ球はセンター役物４２の中（特定の空間部）に入賞することができる。
【０１０７】
なお、この羽根部材４２Ａの開放中に、２個以上のパチンコ球が入賞する場合もあるが、以下では、通常の１個の入賞として説明する。
【０１０８】
センター役物４２に入賞したパチンコ球は、第１のスロープ１１６Ａの最高位点Ｈに導かれ、第１のスロープ１１６Ａに沿って、円筒部材１００の周囲を左回り（図３の反時計回り）に約半周し、通常ステージ１２４へと至る。
【０１０９】
ところで、センター役物４２内では、振分部材１０６が一定速度で一定方向（図３の反時計回り方向）に回転している。
【０１１０】
また、第１の外れ孔１３６に対応した設けられた開閉部材１４０が、第１の外れ孔１３６を閉止する閉位置と、開放する開位置との間を一定の周期（２秒間の開位置、３秒間の閉位置）で移動している。
【０１１１】
さらに、再振分装置１５０のキャラクタ１５２は、前記羽根部材４２Ａが開放したことをトリガとして、パチンコ球のセンター役物４２内での移動時間等を考慮して、前記持ち出し、移動動作を数回繰り返している。
【０１１２】
このような状況下で、第１のスロープ１１６Ａから通常ステージ１２４に到達したパチンコ球は、通常ステージ１２４の高さ位置が、外れ設定収容部１０６Ａに設けられた周壁１２０の上端の高さ位置よりも高く設定されているため、振分部材１０６の全ての収容部（外れ設定収容部１０６Ａ又は当たり設定収容部１０６Ｂ）に収容可能である。従って、本実施の形態では、当たり設定収容部１０６Ｂに収容される確率は１／１０となり、外れ設定収容部１０６Ａに収容される確率は９／１０となる。
【０１１３】
（当たり設定収容部１０６Ｂへの収容後の動作）
当たり設定収容部１０６Ｂにパチンコ球が入賞した状態で、振分部材１０６が回転を継続すると、最初に当たり孔１３２に対向する。このとき、当たり設定収容部１０６Ｂには、周壁が存在しないため、当たり孔１３２に対向した時点で、パチンコ球は当たり設定収容部１０６Ｂから当たり孔１３２へと移動し、当たり通路１３０へと案内される。
【０１１４】
当たり通路１３０へ案内されたパチンコ球は、当たり球として認識され、遊技盤３２上の、通常は閉塞状態である大入賞口５３を所定時間、所定回数開放動作する。例えば、３０秒間の開放を１０〜１５回（ラウンド）繰り返すことで、通常であればアウト口５４へと至るパチンコ球を入賞へと導くことができ、短期間で多くの賞球払出を受けることができる、所謂遊技者に有利な遊技状態とすることができる。
【０１１５】
なお、上記３０秒の開放中に、所定数（例えば、１０個）のパチンコ球が入賞した場合には、３０秒を経過するまえに大入賞口５３を一旦閉じ、次のラウンド移行させることが好ましい。
【０１１６】
（外れ設定収容部１０６Ａへの収容後の動作）
外れ設定収容部１０６Ａにパチンコ球が入賞した状態で、振分部材１０６が回転を継続すると、最初に当たり孔１３２に対向する。このとき、外れ設定収容部１０６Ａには、周壁１２０が存在しているため、当たり孔１３２に対向しても、当該周壁１２０がパチンコ球の移動を阻止し、パチンコ球は外れ設定収容部１０６Ａから抜け出ることはない。
【０１１７】
振分部材１０６がさらに回転を継続すると、第１の外れ孔１３６に対向する。このとき、外れ設定収容部１０６Ａには、底部が存在しないため、外れ設定収容部１０６Ａに収容されているパチンコ球は、第１の外れ孔１３６へと移動し、外れ通路１３４へと案内される。
【０１１８】
ところで、この第１の外れ孔１３６上では、開閉部材１４０が一定の周期で、当該第１の外れ孔１３６の閉位置及び開位置との間で移動を繰り返している。従って、開閉部材１４０が開位置の場合は、前述の如く、パチンコ球は第１の外れ孔１３６へと移動するが、開閉部材１４０が閉位置の場合は、パチンコ球は外れ設定収容部１０６Ａ内で保持される（第１の救済）。
【０１１９】
振分部材１０６がさらに回転すると、前記パチンコ球が第１の救済によって保持された外れ設定収容部１０６Ａがキャラクタ１５２の左足１５４Ｌによる持出位置へと到達する。
【０１２０】
このとき、タイミングよく、左足１５４Ｌが下降し、電磁石１５８が励磁されると、パチンコ球は左足１５４Ｌに磁着し、外れ設定収容部１０６Ａから持ち出される。
【０１２１】
左足１５４Ｌは、パチンコ球を磁着した状態で上昇し、右足１５４Ｒを中心に回転する。これにより、パチンコ球を磁着した左足１５４Ｌは、第２のスロープ１１６Ｂの上方へと移動する。この状態で、電磁石１５８の励磁を解除すると、パチンコ球は第２のスロープ１１６Ｂへ移動され、転動する（第２の救済）。
【０１２２】
なお、逆にタイミングが悪く、左足１５４Ｌが下降していないときは、この持出位置をそのまま通過し、外れ設定収容部１０６Ａに収容されているパチンコ球は、第２の外れ孔１３８から外れ通路１３４へと案内される。
【０１２３】
第２のスロープ１１６Ｂを転動するパチンコ球は、特別ステージ１２８へと到達する。この特別ステージ１２８の高さ位置は、前記外れ設定収容部１０６Ａに設けられた周壁１２０の上端の高さ位置よりも低く設定されているため、特別ステージ１２８に、この外れ設定収容部１０６Ａが対応しても、パチンコ球は周壁１２０にその移動が阻止され、特別ステージ１２８上に保持されることになる。
【０１２４】
一方、当たり設定収容部１０６Ｂには、周壁が存在しないため、この当たり設定収容部１０６Ｂが、特別ステージ１２８と対応すると、パチンコ球は当たり設定収容部１０６Ｂへ収容される。すなわち、１００％の確率で当たり設定収容部１０６Ｂへ収容させることができる。
【０１２５】
以上説明したように本実施の形態では、振分部材１０６に１個の当たり設定収容部１０６Ｂと９個の外れ設定収容部１０６Ａとを設け、見た目での当たりの確率を１／１０とすると共に、第１の外れ孔１３６に一定周期で開閉される開閉部材１４０を設け、この開閉部材１４０が閉位置の場合に、第１の外れ孔１３６への流入を阻止するようにした（第１の救済）。さらに、上記第１の救済によって救済され、外れ設定収容部１０６Ａに残ったパチンコ球を、再振分装置１５０であるキャラクタ１５２によって持ち出し、第２のスロープ１１６Ｂへ移動させて、再度振り分けを実行するチャンスを与えるようにした。
【０１２６】
これにより、遊技者から見て、パチンコ球の動向が最後まで予測できなくなり、センター役物４２内のパチンコ球の演出動作途中で結果がわかる（特に、外れ決定）といった不具合を解消でき、予測困難性が増大することで、遊技の趣向性を高めることができる。
【０１２７】
なお、本実施の形態では、再振分装置１５０として、キャラクタ１５２を用い、股関節機構や膝関節機構を用いて、パチンコ球をキャラクタが移動させる演出としたが、パチンコ球を外れ設定収容孔１０６Ａから第２のスロープ１１６Ｂ又は特別ステージ１２８へ移動させればよく、例えば、キャラクタ１５２の代わりに、図７（Ａ）及び（Ｂ）に示されるようなクレーン式の移動機構２００を設けてもよい。
【０１２８】
図７（Ａ）及び（Ｂ）に示される如く、移動機構２００は、ボールネジ機構部２０２を備えている。ボールねじ機構２０２でスライドするキャッチャー２０４は、図４に示すＰ点（外れ設定収容孔１０６Ａ）と第２のスロープ１１６Ｂとの間を移動するようになっている。キャッチャー２０４には、モータ等の駆動力で動作する昇降アーム２０６が取り付けられ、この昇降アーム２０６の先端（下端）部に電磁石１５８が設けられている。電磁石１５８は、キャッチャー２０４に設けられた通電コントロール部２０８によって通電、非通電が制御される。
【０１２９】
上記クレーン式の移動機構２００を用いることで、キャラクタ１５２を回転させたり、関節駆動させるための構造や電気配線が簡便となる。
【図面の簡単な説明】
【０１３０】
【図１】本実施の形態に係るパチンコ機の正面図である。
【図２】本実施の形態に係る遊技盤の正面図である。
【図３】センター役物内に設けられた振分装置（再振分装置を除く）の分解斜視図である。
【図４】振分装置（再振分装置を除く）の平面図である。
【図５】振分装置に再振分装置を取り付けた状態の斜視図である。
【図６】振分装置に取り付けた再振分装置の動作状態を示す斜視図である。
【図７】再振分装置の変形例を示し、（Ａ）はその正面図、（Ｂ）はその側面図である。
【符号の説明】
【０１３１】
１０    パチンコ機（遊技機）
４２    センター役物（役物ユニット）
４３    振分装置
３０    発射ハンドル
３２    遊技盤
４２    センター役物
４６、４７    始動入賞口
４８    普通図柄始動通過装置
５０    演出用表示装置
５２    普通図柄変動表示装置
５３    大入賞口
５４    アウト口
４２Ａ    羽根部材
４７Ａ    電動チューリップ
１００    円筒部材
１００Ａ    貫通孔
１００Ｂ    支持体
１０２    役物本体
１０４    支持ベース
１０４Ａ    切欠部
１０６    振分部材
１０６Ａ    外れ設定収容部
１０６Ｂ    当たり設定収容部
１０８    切欠部
１１０    底板部
１１２    貫通孔
１１４    モータ（振分部材駆動手段）
１１４Ａ    回転軸
１１６    スロープ
１１８    脚部
１１４    モータ
１１４Ａ    回転軸
１１６    スロープ
１１６Ａ    第１のスロープ
１１６Ｂ    第２のスロープ
１２０    周壁（保持手段）
１２２    底部（保持手段）
１２４    通常ステージ
１２６    縦壁部
１２８    特別ステージ
１３０    当たり通路
１３２    当たり孔（案内手段）
１３４    外れ通路
１３６    第１の外れ孔（案内手段）
１３８    第２の外れ孔
１４０    開閉部材（開閉部材動作手段）
１５０    再振分装置（再振分手段）
１５２    キャラクタ
１５４Ｒ    右足
１５４Ｌ    左足
１５６    胴体
１５８    電磁石
【図１】
2006034694.tif 000003
【図２】
2006034694.tif 000004
【図３】
2006034694.tif 000005
【図４】
2006034694.tif 000006
【図５】
2006034694.tif 000007
【図６】
2006034694.tif 000008
【図７】
2006034694.tif 000009